(57)【要約】【課題】手回し発電機により駆動することができるメガホンを提供する。また電池収納ケースに収納した手回し発電機を備えるメガホンを提供する。更に電池収納ケースと手回し発電機が交換可能なメガホンを提供する。【解決手段】メガホン本体内部に手回し発電機を備える。あるいは、メガホンをホーンマウスと、メガホンボディと、ハンドルとから構成し、メガホンボディに手回し発電機を収納し、ハンドルをメガホンボディ後面に設ける。またはハンドルをメガホンボディ側面に設ける。またメガホンをホーンマウスと、メガホンボディと、ハンドルとから構成し、メガホンボディに着脱可能で、電池を収納する電池ケースと、該電池ケースとほぼ同形状に形成された手回し発電機を備える。【選択図】図８
2008187401.tif 000002
【特許請求の範囲】
【請求項１】
メガホンの本体内部に発電機を収納したことを特徴とするメガホン。
【請求項２】
ホーンマウスと、メガホンボディと、ハンドルとからなり、メガホンボディに発電機を収納し、発電機の回転ハンドルをメガホンボディ後面に設けたたことを特徴とするメガホン。
【請求項３】
ホーンマウスと、メガホンボディと、ハンドルとからなり、メガホンボディに発電機を収納し、発電機の回転ハンドルをメガホンボディ側面に設けたたことを特徴とするメガホン。
【請求項４】
ホーンマウスと、メガホンボディと、ハンドルとからなり、メガホンボディに交換可能に、電池を収納する電池ケースと、該電池ケースとほぼ同形状に形成された発電機を備えることを特徴とするメガホン。
【発明の詳細な説明】
【技術分野】
【０００１】
本発明は、メガホンに関し、特に発電機を備えたメガホンに関する。
【背景技術】
【０００２】
一般に、メガホンは、携行型であり、各種行事、催事、緊急時などに、放送、案内、誘導のために使用されることが多い。このようにメガホンは携行型であるため、電源には電池が使用される。そのためメガホンを使用する際には、電池の管理が重要になる。もし電池の管理が十分でなければ、メガホンを使用とするときに、電池の容量不足のためメガホンが使用できなくなる。また電池容量が十分であってもメガホンの使用時間が長くなると、電池容量が低下して、メガホンを使用できなくなる。
【０００３】
非常用ラジオに発電機を備えたものが例えば特許文献１または２により公知であるが、メガホンに発電機を備えたものはない。
【特許文献１】特開２０００−１７４６５５号公報
【特許文献２】特開１１−７５３４４号公報
【発明の開示】
【発明が解決しようとする課題】
【０００４】
本発明は、携行型であり、放送、案内、誘導のために使用されることが多い、メガホンに発電機を備え、電池の管理を不要にし、また電池容量不足の場合にも簡単に充電することができる発電機を備えたメガホンを提供するものである。
【課題を解決するための手段】
【０００５】
本発明は、上記のような課題のため、メガホンの本体内部に発電機を収納したことを特徴とする。これにより、電池を不要にし、またいつでも発電機により発電して、メガホンを使用可能にする。発電機が手回し発電機であると、いつでも回転ハンドルを手回して、発電することによりメガホンを使用することができる。
【０００６】
また本発明のメガホンは、ホーンマウスと、メガホンボディと、ハンドルとからなり、メガホンボディに発電機を収納し、発電機の回転ハンドルをメガホンボディ後面に設けたたことを特徴とする。
更に本発明のメガホンは、ホーンマウスと、メガホンボディと、ハンドルとからなり、メガホンボディに発電機を収納し、発電機の回転ハンドルをメガホンボディ側面に設けたたことを特徴とする。これによりハンドルを回し、発電しつつメガホンを使用することが可能になる。
また本発明のメガホンは、ホーンマウスと、メガホンボディと、ハンドルとからなり、メガホンボディに交換可能に、電池を収納する電池ケースと、該電池ケースとほぼ同形状に形成された手回し発電機を備えるものである。これにより、電池ケースと手回し発電機を適宜交換してメガホンを使用することができる。
【発明の効果】
【０００７】
本発明によれば、電池の管理を不要にし、また電池の容量不足を心配することなく、常に使用可能にすることができる。
【発明を実施するための最良の形態】
【０００８】
（第１の実施形態）
本発明の第１の実施形態のメガホンを以下に説明する。第１の実施形態のメガホンは、図１に外観を示すようにホーンマウス１と、メガホンボディ２と、ハンドル３を組み合わせて構成される。
【０００９】
このメガホンの内部詳細は、図２、図３の断面図に示すように、内部にリング状永久磁石１１、ヨーク１２、プレートＡ１３ａ、プレートＢ１３ｂよりなる磁気回路を収納し、プレートＡ１３ａとプレートＢ１３ｂとの間に形成される磁気ギャップにボイスコイルを挿入して、動電部分が構成される。ボイスコイルの上端はドーム状振動板１４に結合され、ボイスコイルに入力された音声信号が磁気回路とともに作用して振動板１４の振動に変換される。振動板の前方には、ホーンマウス１の底面１５とともに一体成型されたスロート１６が備えられ、スロート１６の開口部分にレフレクタ１７、１８が取り付けられ、ホーンマウス１の先端開口部より音声を放出する。
【００１０】
スロート１６の表面には防水コンパウンドを塗布し、メガホンが水に沈んだときスロートと振動板の間から水が侵入しないようにする。ここで上記永久磁石１１として希土類磁石が使用され、フェライトマグネットを使用した場合に比べて質量を１５０グラム程度軽量化する。また、ホーンマウス１、メガホンボディ２、ハンドル３、レフレクタ１７，１８は、比重が１．０３から１．１５の軽くて耐侯性のある樹脂を使用する。レフレクタ１８はホーンマウス１にネジ１９によりネジ止めされるとともに、ネジ１９をメガホンボディ２のボス２０に締めこむことにより、ホーンマウス１とメガホンボディ２を結合する。
【００１１】
メガホンボディ２は、後部に電池ケース収納部３５を形成する有底円筒状に構成される。メガホンボディ２をホーンマウス１と結合する際、図３に示すようにホーンマウス１とメガホンボディ２の間にゴム、柔軟性樹脂よりなる平板状の防水パッキング６を挟み込む。これにより、メガホンボディ２の開口部に蓋をするようにして、ホーンマウス１とメガホンボディ２の間隙を充填し、メガホンボディ２の内部を気密及び防水構造にする。
【００１２】
図４にメガホンボディの後方図を示すように、メガホンボディ２の後方上部にマイクユニット２１を配置する。マイクユニット２１はメインマイク２２とサブマイク２３からなり、メインマイク２２とサブマイク２３は緩衝作用と防水作用のある例えばゴム等の薄い膜を介してマイク押えに収納され、メガホンボディ２後方のリブ２５に嵌め込むようにしてメガホンの水平方向に並べて取り付ける。
メインマイク２２はメガホンの中心線を通る垂直線上に配置され、メインマイク前方のメガホンボディ２に小さい開口２６が形成されて外部の音声振動を入力する。メインマイク２２はゴム等の薄い膜で覆われ防水効果を得るとともに、開口２６に対向することにより、音声振動が十分に入力される。さらにゴム等の薄い膜は緩衝作用があるためメガホン本体の振動が入力されるのを防止し、Ｓ／Ｎの高い入力信号を得ることができる。
【００１３】
サブマイク２３はメガホンのハウリング防止用として用いられる。そのためサブマイク前方のメガホンボディ２には開口が形成されず外部の音声振動が入力されない構造となっている。このためサブマイクの前方に開口がなく防水は完全に行なえる。
メガホンはメガホン本体より出た音声振動がメガホンの周囲を回りこんでマイクに入力する音声振動と、振動板のバックプレッシャがメガホン内部を伝わってマイクに入力する音声振動と、メガホン本体自身の振動がマイクに入力する振動によってハウリングを起こす。この中、サブマイクはスピーカ振動板のバックプレッシャがメガホン内部の細い隙間を伝わって入力する振動と、メガホン本体自身の振動がマイクに入力する振動をメインマイクと同相に受ける。これを電気信号に変換してメインマイクからの電気信号と逆位相で増幅器に入力してミキシングすることによりハウリング防止を行なう。
【００１４】
メガホンボディ上部に１０Ｗ級アンプを構成するＬＳＩ、ＩＣ、抵抗、コンデンサ等の電気部品よりなる回路２７を搭載するプリント配線基板２８を取り付ける。プリント配線基板２８はメガホンボディ後方のリブと基板押さえ２９に挟むようにして取り付ける。基板押さえ２９には導電性でバネ性のある材料、例えばリン青銅板よりなるプラス側接続端子３０とマイナス側接続端子(図示しない)が備えられ、電池ケース収納後壁３５ｂにネジ止めされる。プラス側接続端子３０は後述する電池ケース４の回転中心に配置される。マイナス側接続端子は、プラス側接続端子３０の周囲にリング状電極として配置される。
【００１５】
メガホンボディ２の下部には、ハンドル３に取り付けられる電源スイッチ、ボリュームと接続するための接続線を通す穴３２が形成されゴムブッシュ３２ｂが嵌められる。またメガホンボディ２の後方中央部にメガホンの軸方向に電池ケース収納部３５を形成する。この電池ケース収納部３５は、図３に示すように、メガホンボディ２と連続的に一体成型された円筒形状の電池ケース収納側壁３５ａと底板を形成する電池ケース収納後壁３５ｂとからなる。電池ケース収納後壁３５ｂの中心配置に小さい開口３１が形成され、プラス側接続端子３０の先端が開口より臨出している。マイナス側接続端子は、上記開口３１から臨出しているプラス側接続端子３０の周囲に設けたリング状端子板（図示しない）に接続される。この電池ケース収納部３５の前方開口内周に雌ネジ３６を形成し嵌め合わせ構造の一方を構成する。
【００１６】
電池ケース４は、図５に示すように前記電池ケース収納部３５の蓋となる蓋体４１の外周部分に雄ネジ４２を形成し、嵌め合わせ構造の他方を構成し、上記電池ケース収納部３５の開口部分に形成した雌ネジ３６にネジ込まれる。蓋体の表面側に、図６に示すように中心より三方向に分割した指穴４１ａが３個形成され、親指、中指と人差し指により、電池ケース４の雄ネジと、電池ケース収納部３５の雌ネジをネジ込みあるいは取り外しやすくする。
電池ケース４は蓋体４１、電池ケース上４３、電池ケース下４４から構成され、電池ケース上４３は中心筒部４３ａとこの中心筒部の一方の端部に形成された電池端子部４３ｂとからなり、電池端子部４３ｂに一方の電池端子が備えられる。電池ケース下４４は電池収納時の倒れ止め用として、電池長の１／５程度の電池収納壁４４ａを備え、中心筒部４３ａにネジ止めされ、他方の電池端子が備えられる。電池端子板４５は導電性の高い金属材料よりなり、一つの電池のプラス電極と隣接する次の電池のマイナス電極を接続するため途中個所でねじられ、中心筒部４３ａの内側中空を通して配置される。電池端子板４５の一方は電池端子部４３ｂに巻き付けるようにして固定され、電池端子を構成する。
【００１７】
電池端子板４５の他方は中心筒部４３ａと電池ケース下４４の中心突部４４ｂに挟まれて固定され、その先端は電池のマイナス電極に接触するように折り曲げられ電池端子を構成する。電池端子板４５が隣接する電池のプラス電極とマイナス電極を接続することにより電池ケースに挿入される６個の電池は全て同方向に挿入して直列接続される。
直列接続された電池のプラス側端子は、電池ケース下４４の中心に配置され、マイナス側端子は中心位置より離れて平行に配置される。従って、電池ケース４の雄ネジ４２を電池ケース収納部３５の雌ネジ３６にねじ込んで装着すると、電池ケースのプラス側端子とマイナス側端子が、電池ケース収納部３５に設けたプラス側接続端子３０とマイナス側接続端子にそれぞれ接続される。これにより、電池を電源としてメガホンは動作することができる。
【００１８】
図７に示すように、ハンドル３の前方に引きがね５１が取り付けられる。電源スイッチはマイクロスイッチ５２により構成され、ＶＲＳＷケース上５３のリブ５３ａに嵌め込むようにして取り付けられる。ボリューム５４はＶＲＳＷケース上５３を挟むようにしてＶＲナットにより取り付けられる。このようにしてマイクロスイッチ５２とボリューム５４を取り付けた後、ゴムカバー５６を挟んでＶＲＳＷケース下５７とともにハンドルの段部３ａ、３ｂにネジ止めされる。ボリューム５４の回転軸に防水パッキング５５を挿入してつまみ５８が取り付けられ、つまみ５８の周囲の一部がハンドル後方の穴５９から突出して操作できるようにしている。
引きがね５１をハンドル３に取付け、ＶＲＳＷケース上５３にマイクロスイッチ５２、ボリューム５４を取付け、つまみ５８を取り付けた後、つまみ５８の一部をハンドル後方の穴から突出させてゴムカバー５６、ＶＲＳＷケース下５７とともにハンドルの取付けボス３ａ、３ｂにＶＲＳＷケース上５３の４個のネジ穴にネジを挿入してネジ止めする。マイクロスイッチ５２とボリューム５４の配線はメガホンボディ２の穴３２を通して回路２７に接続される。
【００１９】
図６に示すように、ハンドル３の上方両側にスライド溝が形成されており、このスライド溝にメガホンボディ２の下部に形成した突部３３（図４参照）をはめ、ハンドル３をメガホンボディ２の後方までスライドさせてメガホンボディ２とハンドル３を一体化する。その後、メガホンボディ２前方にホーンマウス１をネジ１９でネジ止めして取り付けることにより、ハンドル３の抜け止めをすると同時に全体を一体化し防水構造に組み立てる。ハンドル３は引きがね５１、つまみ５８が臨出する箇所５９は開口しているが、その他の箇所は密閉されており、かつマイクロスイッチ５２とボリューム５４を収納するだけで、大部分は空間であり内部空間は気密に保たれている。ハンドル３は気密になっているが、温度差によって生じた水や、細い隙間から入った水を排出するために、ハンドル３の下部に水抜き穴を形成するとよい。
【００２０】
以上のように構成されるメガホンにおいて、第１の実施形態は、電池ケース４とほぼ同様の外形で、同サイズの手回し発電機６０を備える構造である。
図８は、第１の実施形態の手回し発電機６０を示す。第１の実施形態において、発電機ケース４０の外形は、電池ケース４とほぼ同様の形状で、同サイズに形成され、発電機ケース４０の内部に直流発電機６１と、フライホイール６２と、歯車６３と、ハンドル軸６４と、回転ハンドル６５と、充電回路６６と、蓄電池６７とからなる手回し発電機６０が収納される。発電機ケース４０は、電池ケース下４４を備え、プラス側端子とマイナス側端子を備える。
【００２１】
直流発電機６１は周知のように、リング状の磁石と、その中央に配置したコイルを巻いたロータとからなり、回転ハンドル６５を回すことにより、リング状磁石内でロータが回転して、コイルに電流が誘導され発電出力を得ることができる。
フライホイール６２は回転ハンドル６５の回転速度を安定にするものであり、発電出力を安定にする役目を果たす。歯車６３は回転ハンドル６５の回転数を増速し、ロータの回転を増速して発電出力を増加させる。
蓄電池６７は、リチウムイオン電池のように軽量・小型・大容量の充放電可能な二次電池または大容量コンデンサあるいは電気二重層コンデンサを使用する。蓄電池６７は、図８に示すように発電機ケース４０内に収納するのが好ましいが、発電機ケース４０に収納できない場合は、ハンドル３に収納し、接続コードにより接続してもよい。この場合、蓄電池６７は発電機ケース４０とハンドル３に分割して収納し、電気的に接続するとよい。
第１の実施形態では、発電機ケース４０に手回し発電機６０を収納したので、発電機ケース４０を電池ケース４に代えて装着すると、発電機の出力は、電池ケースのプラス側端子とマイナス側端子を介してメガホンの電源回路と接続される。
【００２２】
図９は充電回路６６を示し、手回し発電機６０の出力は、ダイオード７１を介してリチウムイオン電池のような二次電池または大容量コンデンサあるいは電気二重層コンデンサよりなる蓄電池６７と、電圧検出器７２に接続される。電圧検出器７２は例えば抵抗により形成され、その抵抗の端子間電圧がトランジスタよりなるスイッチ回路７３により検出される。スイッチ回路７３は電圧検出器７２の端子間電圧が所定値以上になったときオン状態になり、手回し発電機６０の出力端子間をショートする。したがって、手回し発電機６０により蓄電池６７に所定値以上の電圧が充電されると、電圧検出器７２の出力電圧が高くなり、これによりスイッチ回路７３がオンになり、ロータコイルに逆電流が流れ手回し発電機６０の負荷を大きくする。このため、回転ハンドル６５の回転が重くなり、使用者に充電が完了したことを知らせる。
【００２３】
図１０は充電回路６６の別の例を示し、スイッチ回路７３に発光ダイオード７４を接続し、発光ダイオード７４をメガホンの表面に装着する。この図１０に示す充電回路では、手回し発電機６０により蓄電池６７に所定値以上の電圧が充電されると、スイッチ回路７３がオンになり、発光ダイオード７４が点灯することにより、使用者に充電完了を知らせる。
【００２４】
第１の実施形態のメガホンは以上のように構成されるので、電池ケース４をメガホンに装着するときは、電池ケース４に収納された電池容量が十分であれば、電池を電源としてメガホンを使用することができる。また電池ケース４に代えて手回し発電機６０がメガホンに装着されたときは、手回し発電機６０によって蓄電池６７を十分に充電すれば、蓄電池６７を電源としてメガホンを使用することができる。蓄電池６７の電池容量が低下したら、手回し発電機６０の回転ハンドル６５を回して蓄電池６７を充電し、充電電圧が十分になれば、再度メガホンを使用することができる。
なお、第１の実施形態において、手回し発電機６０の回転ハンドル６５はメガホンの後方に設けたが、回転ハンドル６５をメガホンの側面に設けてもよい。手回し発電機の回転ハンドル６５をメガホンの側面に設ける構造の場合は、回転ハンドル６５を回して、発電しながらメガホンを使用することが可能である。
図８に示した回転ハンドル６５は手動型の回転式であるが、回転ハンドル６５は発電機６０の回転軸に巻き付けた紐を引っ張ることにより発電できるような構成に代えることができる。あるいは振り子を備え、メガホンの振動または振り回しにより振り子を運動させ、その運動によって発電機６０の回転軸を回転させるような構造であってもよい。
【００２５】
（第２の実施形態）
図１１は、第２の実施形態を示し、手回し発電機６０がメガホンボディ２の後方中央部に、電池ケース４に代えて収納される。したがって、第２の実施形態では電池ケースはなくなり、手回し発電機６１は取外しできない構造である。
第２の実施形態の手回し発電機６０は、第１の実施形態と同様に直流発電機６１と、フライホイール６２と、歯車６３と、ハンドル軸６４と、回転ハンドル６５と、充電回路６６と、蓄電池６７とから構成する。この実施形態の場合は、発電機の各構成部品を電池ケース４の形状にとらわれず、メガホンボディ内部に任意に分散配置してもよい。この第２の実施形態でも蓄電池６７は、手回し発電機６０に内蔵されているのが望ましいが、メガホンボディ２またはハンドル３に収納してもよく、また一部を分割して収納してもかまわない。
その他の構成は第１の実施形態と同様である。
【図面の簡単な説明】
【００２６】
【図１】第１の実施形態のメガホンの外観を示す側面図を示す。
【図２】第１の実施形態のメガホンの断面図を示す。
【図３】第１の実施形態のホーンマウスおよびメガホンボディの分解断面図を示す。
【図４】第１の実施形態のメガホンの後方図を示す。
【図５】第１の実施形態の電池ケースの分解断面図を示す。
【図６】第１の実施形態のメガホンの後面図を示す。
【図７】第１の実施形態のハンドル部分の分解断面図を示す。
【図８】第１の実施形態の手回し発電機の構成図を示す。
【図９】第１の実施形態の充電回路図を示す。
【図１０】第１の実施形態の別の充電回路図を示す。
【図１１】第２の実施形態のメガホンの断面図を示す。
【符号の説明】
【００２７】
１  ホーンマウス
２  メガホンボディ
３  ハンドル
４  電池ケース
１７  レフレクタ
１８  レフレクタ
３５  電池ケース収納部
４０  発電機ケース
６０  手回し発電機
６１  直流発電機
６５  回転ハンドル
６７  蓄電池
【図１】
2008187401.tif 000003
【図２】
2008187401.tif 000004
【図３】
2008187401.tif 000005
【図４】
2008187401.tif 000006
【図５】
2008187401.tif 000007
【図６】
2008187401.tif 000008
【図７】
2008187401.tif 000009
【図８】
2008187401.tif 000010
【図９】
2008187401.tif 000011
【図１０】
2008187401.tif 000012
【図１１】
2008187401.tif 000013